(57)【要約】【課題】  キーボード部の背景として画像を着せ替えるアプリはキーボード部全体とした一面だけを対象とする背景画だけだった。【解決手段】  画像又は、図柄全体の上端か下端と横幅の両端位置とキーボード部や個々のキーや任意による領域の上端か下端と横幅の互いの両端の位置を合わせて取込みを実施するが、該実施により画像を表示して領域内に余白ができる場合や領域外にはみ出る場合、左端か右端と縦幅の互いの両端の位置を合わせて取込みを実施し、該実施による画像又は、図柄を拡大縮小、移動、変形を任意により各操作し、該各操作し、編集された画像又は、図柄を選択された領域上で表示されている部分だけを背景として上書き貼付けを実施する事を特徴とする個々のキー及び任意の領域で背景の画像を着せ替える液晶キーボード。【選択図】図１６
2019040481.tif 000002
【特許請求の範囲】
【請求項１】
液晶画面におけるキーボード部全体の背景として表示されている画像を「背景画」とし、該背景画において、動画や模様を含む画像又は、図柄を「画素材」とし、該画素材全体を任意により編集可能な状態で、キーボード部の全ての領域やキーボード部内の任意により選択された領域やキーの１個分又は複数個分により構成されキーが組み合わされた領域を選択し、該選択した領域を基準に背景画として取り込み、同じ画素材による全体を任意により編集可能な状態で、キーボード部内に表示されているキーの１個又は複数個を選択し、該選択した１個又は複数個のキー一個ずつによる各キー毎の領域を基準に背景画として取り込み、任意による編集を含めて背景画として取り込まれた画素材において、各領域やキー一個ずつが支配する領域部分だけに表示されている画素材内の部分だけを同じ位置に背景画としてキーボード部に貼付ける事を特徴とする個々のキー及び任意の領域で背景の画像を着せ替える液晶キーボード。
【発明の詳細な説明】
【技術分野】
【０００１】
本発明は、液晶に表示されるキーボードの背景画に関するものである。
【背景技術】
【０００２】
スマートフォン等の液晶画面に表示されるキーボード部全体の背景（壁紙）として、業者が多彩な写真画像やデザインされた図柄画像等を供給したり、自撮等の写真や風景写真が保存されている画像や付属のカメラにより撮影した画像などを取り込み編集し貼り付けて着せ替えたり、業者提供の画像には、あらかじめ設定されているキーボードのキー位置に合わせて各キーに模様や柄等を配置している背景画があった。
【発明の概要】
【発明が解決しようとする課題】
【０００３】
液晶画面に表示されるキーボード部全体の背景として表示されている画像を「背景画」とし、該背景画を着せ替えていて、キーボード部全体とした一面だけを対象とする背景画だけだった。
【課題を解決するための手段】
【０００４】
液晶画面におけるキーボードの背景画において、キーボートの背景画として取込、変形、貼付が可能に準備された動画や模様を含む画像又は、図柄等を「画素材」とし、該画素材全体の上端か下端と横幅の両端位置をキーボード部内の全領域又は、任意により選択された領域の上端か下端と横幅の両端位置に合わせて拡大縮小をしながら背景画として取込みを実施するが、該実施により画素材を表示して領域内に余白ができる場合、左端か右端と縦幅の互いの両端の位置に合わせるように画素材を拡大縮小しながら背景画として取込みを実施し、該取込みの実施を「領内取込」とし、該領内取込による画素材を拡大縮小、移動、変形を任意により操作し、該操作を「画素編集」とし、該画素編集された画素材や画素編集しないで背景画として取込まれた画素材をキーボード部内の全領域又は任意により選択された領域上で表示されている画素材の部分だけを背景画としてキーボードに上書き貼付けを実施し、該実施を「背景貼付」とする。
【０００５】
画素材全体の上端か下端と横幅の両端位置をキーボード部内のキーの一個又は複数個により選択され構成されたキーにより組み合わされた領域を「（〇）個組キー」領域とし、該領域とした（〇）個組キーの上端か下端と横幅の両端位置に合わせて拡大縮小をしながら取込みを実施するが、該実施により画素材を表示して（〇）個組キーの領域内に余白ができる場合、左端か右端と縦幅の互いの両端の位置に合わせるように画素材を拡大縮小しながら背景画として取込みを実施し、該取込みの実施を「組内取込」とし、該組内取込による画素材を任意による画素編集し、背景貼付を実施する。
【０００６】
画素材全体の縦幅の両端位置をキーボード部内で選択された一個又は数個による一個ずつのキーの領域内の縦幅の両端位置に合わせた互いの中央に拡大縮小をしながら背景画として取込を実施するが、該実施により画素材を表示してキーの横幅方向の領域外にはみ出る場合、横幅の互いの両端の位置に合わせた互いの中央に一個ずつのキーの領域毎に画素材を拡大縮小しながら背景画として取込みを実施し、該実施を「キー取込」とし、該キー取込により各選択されたキーに表示されている画素材を背景貼付するが、領内取込や組内取込やキー取込の任意による組み合わせ後に背景貼付の具備により文字入力を目的とする液晶表示のキーボード部に背景画を具備するキーボードとして使用する事を特徴とする。
【発明の効果】
【０００７】
キーボード全体の背景画だけの選択から、キーボード内で色んな領域に、色んな画像や模様を個人の好みに合わせた、多彩な画像により構成された背景画を表示できる。
【図面の簡単な説明】
【０００８】
【図１】従来のスマートフォンにおいて、ローマ字入力を実施するキーボード部が表示されているメモ帳アプリによる入力画面図
【図２】本発明において、「多様な着せ替え」アプリの起動により図１のメモ帳に表示されていたキーボード部と各設定を実施するための機能キーが表示され、「全キーの選択」キーをタップした次に「写真」キーを選択する設定画面図
【図３】本発明を実施するスマートフォン内に保存されている画像の図柄を背景画用の画素材として選択した選択画像図
【図４】本発明における、設定画面のキーボード部全体の領域に図３での選択画像が領内取込され、「次の選択」キーを選択する設定画面図
【図５】本発明における、図４でキーボード部全体に表示されている背景画が背景貼付され、新たに四個のキーがタップされて「４個組キー」領域とし、「カメラ」キーを選択する設定画面
【図６】本発明を実施するスマートフォン内のカメラ機能の撮影画面から撮影した風景写真の撮影画像図
【図７】本発明における、図５で選択された４個組キーに図６での撮影画面が組内取込された設定画面図
【図８】本発明における、図７で組内取込された撮影画面を中央の位置に画素編集し、「次を選択」キーを選択する設定画面図
【図９】本発明における、図８で画素編集された撮影画像が背景貼付され、新たに１３個のキーがタップされて「１３個組キー」領域とし、「写真」キーを選択する設定画面図
【図１０】本発明を実施するスマートフォン内に保存されている画像を背景画用の画素材として選択された選択画像図
【図１１】本発明における、図９で選択された１３個組キーに図１０の選択画像が組内取込され、「次の選択」キーを選択する設定画面図
【図１２】本発明における、図１１の１３個組キーの領域だけに表示された画素材部分だけが背景貼付され、新たに１２個のキーがタップされて「１２個組キー」領域とし、「アイテム」キーを選択する設定画面図
【図１３】本発明による、「多様な着せ替え」アプリに準備されている多数の図柄と「写真」キーと「カメラ」キーが選択でき、図柄に表示されている色の番号が表記されているデザイン図柄から図で示すデザイン図柄を選択する、スクロール式で表示が移動できる図柄スクロール画面図
【図１４】本発明における、１２個組キーの一個ずつのキーに、図１３で選択したデザイン図柄がキー取込され、「次の選択」キーを選択する設定画面図
【図１５】本発明における、１２個組キーにキー取込された各デザイン図柄を含む背景画が背景貼付され、「確定」キーを選択する設定画面図
【図１６】本発明における設定の終了後に、再度、ローマ字入力によるメモ帳アプリが起動し、文字入力状態における着せ替えられたキーボード部が表示されているメモ帳アプリによる入力画面図
【図１７】本発明による、「多様な着せ替え」アプリの起動により、図２と同じ構成で図１６で配置された新しいキーボード部が表示され「取り込み領域」キーを選択する設定画面図
【図１８】本発明における、図１７で「取り込み領域」キーを選択により画素材を取り込み貼り付けるための領域が設定され、該設定された領域を「取込領域」とし、該取込領域がキーボード中央上下の位置に任意の大きさで設定された設定画面図
【図１９】本発明における、図１８で設定された「取込領域」の領域範囲を拡大縮小、変形、移動による編集を実施し、該編集の実施を「領域編集」し、領域編集によりキーボード部の左側半分の位置に配置し、「写真」キーを選択する設定画面図
【図２０】本発明において、図１９で設定された取込領域に図１０の選択画像が領内取込され、「次を選択」キーを選択する設定画面図
【図２１】本発明における、図２０で領内取込された選択画像の一部が背景貼付され、「確定」キーを選択する設定画面図
【図２２】本発明における設定の終了後に、再々度、ローマ字入力によるメモ帳アプリが起動し、図２１で「確定」キーのタップにより背景貼付された背景画が着せ替えられたキーボード部が表示されているメモ帳アプリによる入力画面図
【図２３】本発明による、「多様な着せ替え」アプリの起動により、縦表示のテンキーによるキーボード部と図２と同じ機能キーが設定されていて背景画を制作する縦表示の画面で、左図では取込領域がキーボード部全体に設定され、「カメラ」キーを選択する設定画面で、右図が左図から数回の操作後で、図１０の選択画像を中央に移動し、「確定」キーを選択する画面による各設定画面図
【図２４】本発明による、「多様な着せ替え」アプリの起動により、縦表示の「ＱＷＥＲＴＹ」によるキーボード部と図２３同じ機能キーが設定されていて背景画を制作する縦表示の画面で、左図が組内取込された図１０の選択画像が中央に移動され、「次を選択」キーを選択する画面で、右図が左図で「次を選択」キーをタップしたので、図１０の選択画像が背景貼付された画面による各設定画面図
【発明を実施するための形態】
【実施例１】
【０００９】
図１は、従来のスマートフォンにおけるメモ帳アプリを起動させた図で、下にキーとキーとの間に隙間がなく全体がキー部分で構成された日本語のローマ字入力を実施するキーボード部（２１）が表示された状態の横表示によるメモ帳入力画面（１１）である。
【００１０】
図２は、本発明による機能により構築された「多様な着せ替え」アプリを起動させ、キーボードに背景画を設定させる操作が可能な設定画面が表示され、最上部に「多様な着せ替え」と表記されている下に図１のメモ帳入力画面（１１）の下に表示されていたのと同じキーボード部（２１）が表示してあり、さらに下に四角い枠の形状で設定されているキーが各機能キーで、機能キーを操作することでキーボード部（２１）の領域を基準に領内取込、組内取込、キー取込、背景貼付等の作業を実施するのが、本図では「全キーの選択」キーをタップした次に「写真」キーをタップする本発明の多様な着せ替えアプリの設定画面（３１）である。
【００１１】
図２に表示されている各機能キーの役割は
１．          「全キーの選択」キー（４１）はキーボード部に配置されている全てのキー及びキーの領域を選択する機能キー
２．          「写真」キー（４２）は本発明を実施するスマートフォン内に保存されている画素材を検索して選択し、該選択した画素材による領内取込や組内取込を実施する機能キー
３．          「カメラ」キー（４３）は本発明を実施するスマートフォン内のカメラ機能を起動し、撮影された画像を画素材として領内取込や組内取込を実施する機能キー
４．          「アイテム」キー（４４）は多様な着せ替えアプリ内に準備されている画像及び本発明を実施するスマートフォンによる画面から選択し、該選択した画素材によるキー取込を実施する機能キー
５．          「次を選択」キー（４５）はキーボード部内で選択された領域（一個ずつのキーを含む）内に表示されている部分だけの画像をキーボード部内で背景貼付を実施する機能キー
６．          「確定」キー（４６）は「次を選択」キー（４５）の機能を実施後、キーボード部全体に背景として表示されている画像をキーボード部内の背景画として確定し、多様な着せ替えアプリを終了する機能キー
７．          「初期設定に戻る」キー（４７）は多様な着せ替えアプリを初めての導入時に設定されているキーボード部の背景画に設定しなおして多様な着せ替えアプリを終了する機能キー
８．          「取り込み領域」キー（４８）はキーボード部内で画素材を取り込み、貼り付けるための任意による領域を配置し、該配置した領域を「取込領域」とし、該取込領域を表示させる機能キー
【００１２】
図３は、図２で「写真」キー（４２）をタップしたので、本発明を実施するスマートフォン内に保存されていた写真等の画像が選択できる画面（非指図）が表示され、該表示された画面の中から選択した選択画像（５1）である。
【００１３】
図４は、図３の選択画像（５１）の選択と同時に本図の設定画面（３１）が表示され、図３の選択画像（５１）をキーボード部（２１）全体に領内取込を実施（キーボード部外の画像は不表示）し、「次を選択」キー（４５）を選択する設定画面（３１）の図である。
【００１４】
図５は、図４で「次を選択」キー（４５）をタップしたので、領内取込された画素材がキーボード部（２１）全体の領域で背景貼付が実施され、新しい背景画が設定されたキーボード部（２２）が表示され、新たに、「Ｗ、Ｅ、Ｓ、Ｄ」の４個のキーを選択して「４個組キー」領域とし、「カメラ」キー（４３）を選択する設定画面（３１）の図である。
【００１５】
図６は、図５で、「カメラ」キー（４３）タップしたので、本発明を実施するスマートフォン内のカメラ機能が起動し、撮影された画像で、撮影の実施と同時に撮影画像（６）として設定された図である。
【００１６】
図７は、図５で選択した４個組キーの領域を基準に図６の撮影画像（６）の設定と同時に組内取込が実施された設定画面（３１）の図である。
【００１７】
図８は、図７で組内取込した撮影画像（６）を任意の位置（４個組キーの中央）に画素編集し、「次を選択」キー（４５）を選択する設定画面（３１）の図である。
【００１８】
図９は、図８で「次を選択」キー（４５）をタップしたので、４個組キーの領域を基準に画素編集した撮影画像が背景貼付され、新しい背景画が設定されたキーボード部（２３）が表示され、新たに、「Ｔ、Ｙ、Ｕ、Ｏ、Ｇ、Ｈ、Ｊ、Ｋ、Ｃ、Ｖ、Ｂ、Ｎ、Ｍ」による１３個のキーをタップすることで選択して「１３個組キー」領域とし、「写真」キー（４２）を選択する設定画面（３１）の図である。
【００１９】
図１０は、図９で「写真」キー（４２）をタップしたので、本発明を実施するスマートフォン内に保存されていた画素材を選択できる画面（非指図）が表示され、該表示された画面の中から選択した選択画像（５２）である。
【００２０】
図１１は、図９の設定画面（３１）からの操作で１３個組キーを基準に図１０の選択画像（５２）が組内取込され、画素編集をしないで「次を選択」キー（４５）を選択する設定画面（３１）の図である。
【００２１】
図１２は、図１１で「次を選択」キー（４５）をタップしたので、組内取込された画素材がそのまま背景貼付され、新しい背景画が設定されたキーボード部（２４）が表示され、新たに、「Ｑ、Ｒ、Ｔ、Ｉ、Ｏ、Ｐ、Ａ、Ｆ、Ｌ、―、Ｚ、Ｘ」による１２個のキーをタップすることで選択して「１２個組キー」領域とし、「アイテム」キー（４４）を選択する設定画面（３１）の図である。
【００２２】
図１３は、図１２で「アイテム」キー（４４）をタップしたので、好みの図柄が選択できるよう本発明の「多様な着せ替え」アプリに準備されている「写真」キーと「カメラ」キーも選択できる図柄スクロール画面（７）が起動表示し、５角形の図柄で６番として指定された色により構成されたデザイン図柄（８）をタップすることで選択する図柄スクロール画面（７）の図である。
【００２３】
図１４は、図１２で選択した１２個組キーの領域内の一個ずつのキー領域に図１３でタップし選択されたデザイン図柄（８）をキー取込し、「次を選択」キー（４５）を選択する設定画面（３１）の図である。
【００２４】
図１５は、図１４で「次を選択」キーをタップしたので、キー取込され表示されていた各デザイン図柄（８）が背景貼付され、新しい背景画が設定されたキーボード部（２５）が表示され、「確定」キー（４６）を選択する設定画面（３１）の図である。
【００２５】
図１５で「確定」キー（４６）をタップしたので、キーボード部（２５）に表示されている背景画が確定し、データとして保存され、多様な着せ替えアプリの設定画面（３１）が終了し、本発明を実施するスマートフォン内の従来の待機状態に戻るが、図１５で確定した背景画は本スマートフォンで入力するローマ字入力のキーボード部に反映されている。
【００２６】
図１６は、メモ帳アプリを再起動し、ローマ字入力の設定により、図１５で背景画が設定されたキーボード部（２５）が下方向に表示されて入力待ち状態になっているメモ帳アプリによる入力画面（１２）の図である。
【００２７】
再度、本発明の着せ替え用アプリを起動させると設定画面には、最後に背景が設定されたキーボード部（２５）が表示され、着せ替えを実施している。
【実施例２】
【００２８】
図１７は、本発明の着せ替え用アプリを起動させると図１５のキーボード部（２５）が設定され、図２と同じ構成による設定画面が表示され、「取り込み領域」の機能キー（４８）を選択する設定画面（３２）の図である。
【００２９】
図１８は、図１７で「取り込み領域」キー（４８）をタップしたので、図で示すキーボード中央上下の位置に任意の大きさで取込領域（９１）が配置された設定画面（３２）の図である。
【００３０】
図１９は、図１８で設定された取込領域（９１）を拡大縮小、移動、変形を任意により各操作し、該各操作を「領域編集」とし、該領域編集を実施してキーボード部（２５）の左側半分に取込領域（９２）が配置され、「写真」キー（４２）を選択する設定画面（３２）の図である。
【００３１】
図２０は、図１９で「写真」キーをタップしたので、図１０と同じように本発明を実施するスマートフォン内に保存されていた画素材を選択できる画面（非指図）が表示され、該表示された画面の中から選択した選択画像（５２）を領域編集された取込領域（９２）に領内取込され、画素編集をしない状態から「次を選択」キー（４２）を選択する設定画面（３２）の図である。
【００３２】
図２１は、図２０で「次を選択」キー（４２）をタップしたので、領内取込された画素材が背景貼付され、新しい背景画が設定されたキーボード部（２６）が表示され、「確定」キー（４６）を選択する設定画面（３２）の図である。
【００３３】
図２１で「確定」キー（４６）をタップしたので、キーボード部（２６）に表示されている背景画が確定し、データとして保存され、多様な着せ替えアプリの設定画面（３２）が終了し、本発明を実施するスマートフォンの従来の待機状態に戻るが、図２１で確定した背景画は本スマートフォンで入力するローマ字入力のキーボード部に反映されている。
【００３４】
図２２では、メモ帳アプリを再起動し、ローマ字入力の設定により、図２１で背景が設定されたキーボード部（２６）が下方向に表示されて入力待ち状態になっているメモ帳アプリによる入力画面（１３）である。
【実施例３】
【００３５】
図２３は、本発明の「多様な着せ替え」アプリを起動により、キーとキーの間に隙間のある状態で構成された縦表示の日本語入力のテンキーによるキーボード部（２７）と図２と同じ機能キーが設定されていて、キーボード部（２７）に背景画を制作する過程による各設定画面（３３）の図で、左図が「取り込み領域」キーをタップ後、取り込み領域をキーボード部全体に設定し、「カメラ」キーを選択する設定画面で、右図が左図の「カメラ」キーのタップでカメラ機能が起動し、カメラの撮影画面から保存されている画素材を検索し、該検索で図１０の選択画像を選択し、該選択と同時に「多様な着せ替え」アプリ設定画面に移行し、該設定画面上で領内取込が実施され、画素編集で選択画像を中央に移動し、「確定」キーをタップすることで本スマートフォンのテンキー入力により表示されるキーボードの背景画として反映される各設定画面図である。
【００３６】
図２４は、本発明の「多様な着せ替え」アプリの起動により、キーとキーの間に隙間のある状態で構成された縦表示による「ＱＷＥＲＴＹ」のキーボード部（２８）と図２３同じ機能キーが設定されていて背景画を制作する各設定画面（３４）の図で、左図が本アプリの起動後、表示された設定画面において、「全キーを選択」キーをタップした後に、「写真」キーをタップし、本発明を実施するスマートフォン内に保存されていた画素材が選択できる画面（非指図）が表示され、該表示された画面の中から選択した選択画像が画素材として組内取込され、画素編集により選択画像がキーボード部（２８）の中央に平行移動した状態から「次を選択」キーを選択する設定画面（３４）の図で、右図が左図で「次を選択」キーをタップしたので、図で示すよう、画素材の全体から各キーの領域内に表示されている部分だけが背景貼付され、「確定」キーのタップにより本スマートフォンの「ＱＷＥＲＴＹ」キー入力により表示されるキーボードの背景画として反映される各設定画面図（３４）である。
【００３７】
図１３では、表示され選択したデザイン図柄（８）以外に設定画面に表示される「写真」キーや「カメラ」キーが設定してあり、各タップにより画素材を選択してキー取込も可能で、文字を入力する全てのキーボードを対象にした「多様な着せ替え」アプリである。
【符号の説明】
【００３８】
１１、１２、１３                                メモ帳入力画面
２１、２２、２３、２４、２５、２６、２７、２８  キーボード部
３１、３２、３３、３４                          設定画面
４１、４２、４３、４４、４５、４６、４７、４８  キー
５１、５２                                      選択画像
６                                              撮影画像
７                                              図柄スクロール画面
８                                              デザイン図柄
９１、９２                                      取込領域      
【図１】
2019040481.tif 000003
【図２】
2019040481.tif 000004
【図３】
2019040481.tif 000005
【図４】
2019040481.tif 000006
【図５】
2019040481.tif 000007
【図６】
2019040481.tif 000008
【図７】
2019040481.tif 000009
【図８】
2019040481.tif 000010
【図９】
2019040481.tif 000011
【図１０】
2019040481.tif 000012
【図１１】
2019040481.tif 000013
【図１２】
2019040481.tif 000014
【図１３】
2019040481.tif 000015
【図１４】
2019040481.tif 000016
【図１５】
2019040481.tif 000017
【図１６】
2019040481.tif 000018
【図１７】
2019040481.tif 000019
【図１８】
2019040481.tif 000020
【図１９】
2019040481.tif 000021
【図２０】
2019040481.tif 000022
【図２１】
2019040481.tif 000023
【図２２】
2019040481.tif 000024
【図２３】
2019040481.tif 000025
【図２４】
2019040481.tif 000026
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
液晶画面におけるキーボード部内の任意の領域、またはキーの１個分又は複数個分により構成されキーが組み合わされた領域を選択し、模様を含む画像又は図柄である画素材を取り込み、該選択された領域に該取り込まれた画素材を背景画として貼付けることを特徴とする液晶キーボードの背景の画像を着せ替える方法。
【請求項２】
液晶画面におけるキーボード部内に表示されている１個又は複数個のキーを選択し、模様を含む画像又は図柄である画素材を取り込み、該選択された各キー毎に同一の該取り込まれた画素材を背景画として貼付けることを特徴とする液晶キーボードの背景の画像を着せ替える方法。
【請求項３】
該画素材は、貼付け前に拡大縮小、移動、または変形による編集がなされる請求項１または請求項２に記載の液晶キーボードの背景の画像を着せ替える方法。